(57)【要約】【課題】従来品との互換性を保ちながら、洗浄して繰り返し使用することに適した構成とすることができるエアフィルタユニット提供する。【解決手段】エアフィルタユニットは、（ａ）フィルタ枠と、（ｂ）フィルタ枠内に配置され、積層された相対的に粗である第１層３０ａと相対的に密である第２層３０ｂとを含む濾材３０とを備える。濾材３０は、エアフィルタユニットに対する空気の流れ２の上流側に第２層３０ｂが配置され、エアフィルタユニットに対する空気の流れ２の下流側に第１層３０ａが配置されている【選択図】図４
2011136265.tif 000002
【特許請求の範囲】
【請求項１】
フィルタ枠と、
前記フィルタ枠内に配置され、積層された相対的に粗である第１層と相対的に密である第２層とを含む、濾材と、
を備えたエアフィルタユニットにおいて、
前記濾材は、前記エアフィルタユニットに対する空気の流れの上流側に前記第２層が配置され、前記エアフィルタユニットに対する空気の流れの下流側に前記第１層が配置されていることを特徴とする、エアフィルタユニット。
【請求項２】
上記フィルタ枠の中間位置に、
前記濾材より、前記エアフィルタユニットに対する空気の流れの下流側において、前記濾材に当接する下流側中間部材と、
前記濾材より、前記エアフィルタユニットに対する空気の流れの上流側において、前記濾材に当接する上流側中間部材と、
をさらに備えていることを特徴とする、請求項１に記載のエアフィルタユニット。
【請求項３】
前記濾材は、フィルタ枠にのみ固着されていることを特徴とする、請求項２に記載のエアフィルタユニット。
【発明の詳細な説明】
【技術分野】
【０００１】
本発明は、エアフィルタユニットに関し、特に、洗浄して繰り返し使用することに適したエアフィルタユニットに関する。
【背景技術】
【０００２】
オフイスビルや病院等の空調設備において、空気を浄化するため、フィルタ枠内に濾材が収納されたエアフィルタユニットが用いられている。
【０００３】
従来、エアフィルタユニットは使い捨てにされていた（例えば、特許文献１参照）。
【先行技術文献】
【特許文献】
【０００４】
【特許文献１】特開平７−２６５６３２号公報
【発明の概要】
【発明が解決しようとする課題】
【０００５】
近年、環境意識の高まりに伴って、エアフィルタユニットを洗浄して繰り返し使用することが検討されている。
【０００６】
エアフィルタユニットを洗浄して繰り返し使用する場合、従来のエアフィルタユニットとの互換性を保ちながら、濾材を効率よく洗浄することができ、濾材の寿命が長いなど、洗浄して繰り返し使用することに適していることが望まれる。
【０００７】
本発明は、かかる実情に鑑みて、従来品との互換性を保ちながら、洗浄して繰り返し使用することに適した構成とすることができるエアフィルタユニット提供しようとするものである。
【課題を解決するための手段】
【０００８】
本発明は、上記課題を解決するために、以下のように構成したエアフィルタユニットを提供する。
【０００９】
エアフィルタユニットは、（ａ）フィルタ枠と、（ｂ）前記フィルタ枠内に配置され、積層された相対的に粗である第１層と相対的に密である第２層とを含む濾材とを備えている。前記濾材は、前記エアフィルタユニットに対する空気の流れの上流側に前記第２層が配置され、前記エアフィルタユニットに対する空気の流れの下流側に前記第１層が配置されている。
【００１０】
従来のエアフィルタユニットでは、一般に、積層された相対的に粗い第１層と相対的に密である第２層とを含む濾材が用いられている。濾材は、エアフィルタユニットに対する空気の流れの上流側に相対的に粗い第１層が配置され、下流側に相対的に密である第２層が配置されるようにすることが、当業者の常識である。この場合、濾材の第１層と第２層との境界付近にも粒子が捕集されるため、エアフィルタユニットを洗浄するときには、濾材に補集された粒子を濾材の内部から取り除く必要がある。
【００１１】
これに対し、上記構成のエアフィルタユニットの濾材は、エアフィルタユニットに対する空気の流れの上流側に相対的に密である第２層が配置され、下流側に相対的に粗い第１層が配置されている。濾材の第１層と第２層との境界付近や、それより下流側の第１層内には、ほとんど粒子が捕集されない。濾材に補集された粒子を濾材の内部から取り除く必要がないため、従来のエアフィルタユニットより、エアフィルタユニットの洗浄時間を短縮することができる。
【００１２】
好ましくは、エアフィルタユニットは、上記フィルタ枠の中間位置に、（ｃ）前記濾材より、前記エアフィルタユニットに対する空気の流れの下流側において、前記濾材に当接する下流側中間部材と、（ｄ）前記濾材より、前記エアフィルタユニットに対する空気の流れの上流側において、前記濾材に当接する上流側中間部材とをさらに備えている。
【００１３】
エアフィルタユニットを洗浄するために濾材を洗浄液に浸すと、濾材が伸びてたわみが生じる。下流側中間部材は、エアフィルタユニットに対する空気の流れの下流側において濾材に当接するため、空気の流れの下流側への濾材のたわみを小さくすることができる。上流側中間部材は、エアフィルタユニットに対する空気の流れの上流側において濾材に当接するため、空気の流れの上流側への濾材のたわみを小さくすることができる。濾材の中間位置に下流側中間部材や上流側中間部材が当接して濾材のたわみが小さくなると、濾材のたわみが大きい場合よりも、効率よく洗浄することができる。
【００１４】
好ましくは、前記濾材は、フィルタ枠にのみ固着されている。
【００１５】
濾材の中間部分が下流側中間部材や上流側中間部材に固着された場合、洗浄により濾材が伸縮すると固着部分付近に内部応力が発生し、濾材の劣化が進行しやすい。濾材がフィルタ枠にのみ固着されていると、濾材の中間部分の固着による内部応力が発生しないため、濾材の寿命が長くなる。
【発明の効果】
【００１６】
本発明のエアフィルタユニットは、従来品との互換性を保ちながら、洗浄して繰り返し使用することに適した構成とすることができる。
【図面の簡単な説明】
【００１７】
【図１】エアフィルタユニットの正面図である。（実施例１）
【図２】エアフィルタユニットの断面図である。（実施例１）
【図３】エアフィルタユニットの断面図である。（実施例１）
【図４】エアフィルタユニットで用いる濾材の断面図である。（実施例１）
【図５】エアフィルタユニットで用いる濾材の断面図である。（従来例）
【発明を実施するための形態】
【００１８】
以下、本発明の実施の形態について、図面を参照しながら説明する。
【００１９】
＜実施例１＞  実施例１のエアフィルタユニット１０について、図１〜図５を参照しながら説明する。図１は、エアフィルタユニット１０の正面図である。図２は、図１の線Ａ−Ａに沿って切断した断面図である。図３は、図１の線Ｂ−Ｂに沿って切断した断面図である。図２及び図３において、矢印２は、エアフィルタユニット１０が空調設備に取り付けられたときに空気の流れる方向を示している。
【００２０】
図１〜図３示すように、エアフィルタユニット１０は、上下一対の板状の上下枠部材１４と、左右一対の板状の左右枠部材１５とが矩形に結合されたフィルタ枠１２の内部に、濾材３０が収納されている。左右枠部材１５の間には、上流側中間部材１６と下流側中間部材１８とが結合され、上流側中間部材１６と下流側中間部材１８との間に、濾材３０が配置されている。上流側中間部材１６と下流側中間部材１８は、上下方向の中間位置に配置されている。フィルタ枠１２の下流側の端面には、矩形のガスケット２０が貼り付けられている。
【００２１】
濾材３０は、図１及び図２に示すように、細かくひだ加工された一連の部材である。濾材３０には、ひだの折り線と直角方向に、ホットメルト樹脂等でスペーサー３２が形成されている。スペーサー３２は、濾材３０のひだの間隔を保持する。
【００２２】
濾材３０は、折り線が上下方向に延在し、複数のひだのかたまりごとに、大きくジグザグに折り曲げた状態で、フィルタ枠１２に収納されている。
【００２３】
一対の上下枠部材１４は、図３に示すように、互いに対向する内側面に、板厚方向に貫通していない有底溝１４ａが形成されている。有底溝１４ａは、濾材３０のジグザグに対応して、ジグザグ形状に形成されている。濾材３０の上下の端部３０ｘが上下枠部材１４の有底溝１４ａに挿入され、ウレタン系接着剤等のシール材によって固着されている。濾材３０の左右両端と左右枠部材１５との間も、ウレタン系接着剤等のシール材によって固着されている。
【００２４】
図４は、エアフィルタユニット１０に用いる濾材３０の断面を模式的に示す断面図である。図４において、矢印２は、エアフィルタユニット１０が空調設備に取り付けられたときに空気の流れる方向を示している。図４に示すように、濾材３０は、積層された相対的に粗である第１層３０ａと相対的に密である第２層３０ｂとを含む。濾材３０は、エアフィルタユニット１０に対する空気の流れの上流側に第２層３０ｂが配置され、エアフィルタユニット１０に対する空気の流れの下流側に第１層３０ａが配置されている。
【００２５】
濾材３０には、従来例のエアフィルタユニットで用いられているものと同じものを用いることができる。従来例のエアフィルタユニットでは、濾材３０は、図５の断面図に模式的に示すように、矢印２で示すエアフィルタユニット１０に対する空気の流れの上流側に相対的に粗い第１層３０ａが配置され、下流側に相対的に密である第２層３０ｂが配置されている。そのため、濾材３０の内部、すなわち濾材の第１層３０ａと第２層３０ｂとの境界３０ｓ付近にも粒子が捕集される。図５のように濾材３０を配置することは、当業者の常識であった。
【００２６】
本発明のエアフィルタユニット１０では、濾材３０の表裏が、従来例のエアフィルタユニットは逆になるように配置している。すなわち、図４に示したように、矢印２で示すエアフィルタユニット１０に対する空気の流れの上流側に相対的に密である第２層３０ｂが配置され、下流側に相対的に粗である第１層３０ｂが配置されるようにしている。この場合、濾材３０の内部、すなわち、濾材３０の第１層３０ａと第２層３０ｂとの境界３０ｓ付近や、それより下流側の第１層３０ａ内には、ほとんど粒子が捕集されない。そのため、エアフィルタユニット１０の濾材３０を洗浄するときに、濾材３０の内部から粒子を取り除く必要がないので、従来例のエアフィルタユニットよりも洗浄時間を短縮できる。
【００２７】
図２に示すように、下流側中間部材１８には、エアフィルタユニット１０に対する空気の流れの上流側に、大略Ｖ字状の折れ曲がりを繰り返すジグザグ部１６ａが形成されている。ジグザグ部１６ａは、フィルタ枠１２に収納された濾材３０のジグザグに対応してジグザグに形成されており、濾材３０の下流側に当接するようになっている。
【００２８】
上流側中間部材１６は、濾材３０よりも上流側に配置され、濾材３０の最も上流側の部分３０ｔに当接するようになっている。
【００２９】
エアフィルタユニット１０を洗浄するために洗浄液に浸すと、濾材３０が伸びてたわみが生じる。このとき、下流側中間部材１８のジグザグ部１８ａに濾材３０の下流側が当接するため、濾材３０は、空気の流れの下流側へのたわみが小さくなる。上流側中間部材１６に、濾材３０の最も上流側の部分３０ｔが当接するため、濾材３０は、空気の流れの上流側へのたわみが小さくなる。濾材３０のたわみが小さくなると、濾材３０に超音波がよく伝わるため、濾材のたわみが大きい場合よりも効率よく洗浄することができる。
【００３０】
濾材３０は、上流側中間部材１６と下流側中間部材１８とに当接するだけであり、固着されないことが好ましい。すなわち、濾材３０は、フィルタ枠１２にのみ固着されていることが好ましい。濾材３０の中間部分が上流側中間部材１６や下流側中間部材１８に固着された場合、洗浄により濾材３０が伸縮すると、濾材３０の中間部分には固着による内部応力が発生し、濾材３０の劣化が進行する。濾材３０がフィルタ枠１２にのみ固着されていると、濾材３０の中間部分には固着による内部応力が発生しないため、濾材３０の寿命が長くなる。
【００３１】
エアフィルタユニット１０のフィルタ枠１２は、従来のエアフィルタユニットと同じの大きさ（外形寸法）にすると、互換性を保つことができる。例えば、フィルタ枠１２の大きさは、縦横が約０．６ｍ、厚さが約０．３ｍである。
【００３２】
上下枠部材１４や、左右枠部材１５や、上流側中間部材１６や、下流側中間部材１８は、耐水合板、金属、樹脂などで作製することができる。上下枠部材１４は、例えば、２枚の板部材を貼り合わせ、一方の板部材に有底溝１４ａの溝側面を加工することにより、容易に形成することができる。
【００３３】
濾材３０には、従来のエアフィルタユニットと同じものを使用することができる。
【００３４】
＜まとめ＞  以上に説明したエアフィルタユニット１０は、従来品との互換性を保ちながら、洗浄して繰り返し使用することに適した構成とすることができる。
【００３５】
なお、本発明は、上記実施の形態に限定されるものではなく、種々変更を加えて実施することが可能である。
【符号の説明】
【００３６】
１０  エアフィルタユニット
１２  フィルタ枠
１４  上下枠部材
１４ａ  有底溝
１５  左右枠部材
１６  上流側中間部材
１６ａ  ジグザグ部
１８  下流側中間部材
２０  ガスケット
３０  濾材
３０ａ  第１層
３０ｂ  第２層
３０ｓ  境界
３０ｔ  最も上流側の部分
３０ｘ  端部
３２  スペーサー
【図１】
2011136265.tif 000003
【図２】
2011136265.tif 000004
【図３】
2011136265.tif 000005
【図４】
2011136265.tif 000006
【図５】
2011136265.tif 000007